(57)【要約】【課題】球導入路及び上皿に残留している球を完全に抜き取ることのできるパチンコ機の球送り装置を提供する。【解決手段】上皿から連通する玉導入路６上の球をベース板１に軸着された揺動部材７により一球づつ発射レール２に供給するパチンコ機の球送り装置において、球導入路６が突き当たるベース板１の球衝突部に球抜き口１３を設けるとともに、該玉抜き口１３を開閉するレバー式閉止部材１４をベース板１に枢着したうえに、揺動部材７には閉止部材１４を係止するための突起７６を設けて、揺動部材７を閉止部材１４と一体に回動させて球抜き口１３を解放する。【選択図】    図６
2005006947.tif 000002
【特許請求の範囲】
【請求項１】
上皿から連通する玉導入路上の球をベース板に軸着された揺動部材により一球づつ発射レールに供給するパチンコ機の球送り装置において、球導入路が突き当たるベース板の球衝突部に球抜き口を設けるとともに、該玉抜き口を開閉するレバー式の閉止部材をベース板に枢着したうえに、揺動部材には閉止部材との係止部を設けて、揺動部材を閉止部材と一体に回動して球抜き口を解放するようにしたことを特徴とするパチンコ機の球送り装置。
【請求項２】
閉止部材を、支軸の下方に自重により垂下して玉抜き口を塞ぐ閉止弁と、該閉止弁回動用の作動片とを有するものとし、前記作動片に係合して閉止部材を回動する玉抜き操作レバーをベース板に軸着したことを特徴とする請求項１に記載のパチンコ機の球送り装置。
【請求項３】
揺動部材の先端に弾球槌の一部により間歇的に押圧される摺接部を設けて、揺動部材が弾球槌の球発射に連動して球の供給を行うようにした請求項１又は２に記載のパチンコ機の球送り装置。
【発明の詳細な説明】
【０００１】
【発明の属する技術分野】
本発明は、遊技が終了した時などに玉を完全に抜き取ることのできるパチンコ機の発射玉供給装置に関するものである。
【０００２】
【従来の技術】
パチンコ機の上皿には遊技の終了後に球を抜き取るためのレバー式、電磁式などの球抜き装置が設けられていて、球抜き装置の操作により球を下皿に移送することができる。又、上皿から連通する球導入路には球送り装置が配設されていて、球発射装置の発射動作のたび毎に一球ずつ球を発射レールの弾球位置に送り込む。球送り装置は、例えばソレノイドなどにより回動される揺動部材が、停止状態では球導入路内に整列された球列の先頭球を取り込み、弾球槌の球の発射に同期式で連動して取り込んだ球を送出するように構成されている。したがって、遊技の終了時や途中に球を抜いた場合において、球導入路に流入している球は抜取りが不可能であって、そのまま残ってしまっていた。この流入球を残さないようにするには再度球を発射して使い切ってしまうか、そのまま放置するしかなく、遊技者にとっては球が無駄になるほかに遊技の興趣を大幅に削ぐものであった。
【０００３】
上記のような問題に鑑み、特開２００２−２３９１７６号公報には、前記球導入路が発射球供給通路と球排出通路に別れる分岐点に、遊技中は球発射レールに球を送出し、球抜き時には逆回転して球排出通路に球を送出するスターホイールを備えたパチンコ機の球送り装置が開示されている。
【０００４】
【特許文献１】特開２００２−２３９１７６号公報（図３）
【０００５】
しかしながら、上記スターホイール式の球送り装置は、スターホイールを回転させるためのモーターなどの駆動装置を必要とするうえに、その作動を球の発射タイミングと同期させたり逆転機能を備える必要があって、装置が複雑で大掛かりになってしまうという欠点があった。
【０００６】
【発明が解決しようとする課題】
本発明は上記した従来の問題点を解決し、遊技が終了した時などに球導入路及び上皿に残留している球を完全に抜き取ることのできるパチンコ機の球送り装置を提供するためになされたものである。
【０００７】
【課題を解決するための手段】
上記の課題を解決するためになされた本発明のパチンコ機の球送り装置は、上皿から連通する玉導入路上の球をベース板に軸着された揺動部材により一球づつ発射レールに供給するパチンコ機の球送り装置において、球導入路が突き当たるベース板の球衝突部に球抜き口を設けるとともに、該玉抜き口を開閉するレバー式の閉止部材をベース板に枢着したうえに、揺動部材には閉止部材との係止部を設けて、揺動部材を閉止部材と一体に回動して球抜き口を解放するようにしたことを特徴とするものである。
【０００８】
なお、閉止部材を、支軸の下方に自重により垂下して玉抜き口を塞ぐ閉止弁と、該閉止弁回動用の作動片とを有するものとし、前記作動片に係合して閉止部材を回動する玉抜き操作レバーをベース板に軸着することができ、また、揺動部材の先端に弾球槌の一部により間歇的に押圧される摺接部を設けて、揺動部材が弾球槌の球発射に連動して球の供給を行うようにすることができる。
【０００９】
【発明の実施の形態】
以下に図面を参照しつつ本発明の好ましい実施形態を説明する。
図１〜３は本発明に係る球送り装置を備えた弾球発射装置を示す図であって、金属製のベース板１に、発射レール２と球送り装置３と弾球槌４とが配設されている。球送り装置３は、カバー体５に設けられて上皿（図示せず）からの球を取り込みベース盤に向かう球導入路６と、導入された球を一球づつ横方向に押出して発射レール２に供給する揺動部材７と、その球の発射レール２への導出路８とにより構成されている。
球送り装置３から供給された球は球ストッパー９により所定の球発射位置に静止される。弾球槌４は、モーター１０により駆動されて発射完了時ストッパー１１と発射待機位置ストッパー１２との間を繰り返し往復回動するが、球は弾球槌４の衝打により弾き出されて発射レール２を介して上方の遊技盤（図示せず）内に打ち込まれる。
【００１０】
揺動部材７は、図４に示すような構造のものであって、上部の支軸７１を中心にアーム７０が遊技盤面の左右方向に揺動するが、支軸７１の近傍には錘７２が固定されてアーム７０を下方に向けて垂下させている。アーム７０の先端には球１個を取り込み可能な二股状の凹部７３が下向きに形成され、二股の一方の分岐枝７４は凹部７３に取りこまれた球が発射レール２に流下するのを規制し、他方の分岐枝７７は球の導入路６に位置する時に球がこれより先に流下するのを規制する。又、分岐枝７４の側面には、弾球槌４の軸４１から突出した延出アーム４２に係合する摺接部７５が形成されており、弾球槌４の回動とともに分岐枝７４が間欠的に押圧、回動されるので、弾球槌４と連動して揺動部材７は球の受入れ、送出しを行うことができる。
【００１１】
本発明の球送り装置３においては、球導入路６が突き当たるベース板１の球衝突部に球抜き口１３が設けられたうえ、この玉抜き口１３を開閉するレバー式の閉止部材１４がベース板１に枢着されている。玉抜き口１３には下皿（図示せず）に通ずる玉抜き通路３０が連通されている。また、閉止部材１４は、図５に示すように支軸１５の下方に自重により垂下して玉抜き口１３を塞ぐ閉止弁１６と、閉止弁１６回動用の作動片１７とを有している。ベース板１には、図３、５に示すように軸１８の前方に摘み部１９と後方に回動片２０を備えた操作レバー２１が配設されており、操作レバー２１の摘み部１９を操作して回動片２０により作動片１７下端を上方に持ち上げることにより閉止弁１６を玉抜き口１３から退却させることができる。
【００１２】
ここで、揺動部材７はその裏側に突起７６が設けられ、閉止弁１６は前記突起７６に係合する爪部２２が設けられている。さらにベース板１には前記爪部２２が裏面から前方に臨むことができる小孔３１を設けてあるので、前記突起７６と爪部２２とを係止させることができる。したがって、閉止部材１４の回動と一体に揺動部材７を回動させ、これらを共に球抜き口１３から退却させることにより球導入路６と球抜き通路３０とを連通させることができるので、球導入路６や上皿に残っていた球を一つ残らず抜き取ることができる。
【００１３】
球の抜取り機構を図６〜９により説明する。
パチンコ機の非遊技状態においては、図６に示すように弾球槌４は発射完了位置に留められていて、揺動部材７の分岐枝７７が球導入路６の上に位置しているので、球は分岐枝７７により凹部７３への流入が規制されている。この状態で操作レバー２１を操作してその回動片２０により閉止部材１４の作動片１７を跳ね上げると、図７の如く閉止弁１６が回動される。閉止弁１６には爪部２２が設けてあって、この爪部２２は揺動部材７の突起７６に係合してこれを押圧するので、閉止弁１６の回動と一体になって揺動部材７が回動される。
【００１４】
そして、分岐枝７７が後退して凹部７３が球導入路６上に位置し、且つ閉止弁１６が球抜き口１３から退却することによって球は凹部７３に取り込まれ球抜き口１３を通過可能となるので（図８）、図９に示すように球は球抜き通路３０を下皿まで下ることができる。したがって、球導入路６のみならず上皿に貯留されている球を一つ残らず綺麗に抜き去ることができる。
【００１５】
次に、弾球槌４による揺動部材７の揺動機構を図１０〜１５により説明する。図１０は前球が発射されて次球が揺動部材７の凹部７３から導出されて弾球槌４の先端まで流下した状態である。この状態から弾球槌４は次球発射のために後退回動するが、延出アーム４２が摺接部７５を押圧するようになるので、弾球槌４の回動とともに揺動部材７が回動される（図１１）。そして、弾球槌４がストッパー１２に衝突して球発射の準備が完了して揺動部材７が最も押し込まれた時に凹部７３は球導入路６上に位置することとなって、球を凹部７３に受入れることができる（図１２）。
【００１６】
次いで、弾球槌４は弾発されて球を打球する方向に高速で回動するが、これに伴い揺動部材７の延出アーム４２による押圧も解除されるので、凹部７３は図１０に示した元の状態に戻ろうとする（図１３）。このとき凹部７３内の球は後方の分岐枝７７により放出されて球導出路８を下る（図１４）。そして、弾球槌４が球発射位置にあった球を弾いた直後に凹部７３から押出された次の球が発射レール２に供給されることとなる（図１５）。以上のように、揺動部材７は弾球槌４に連動して回動されるので、ソレノイドなどの駆動源を用いることなく球を一球ずつ発射レール２に供給することができる。又、球送りのタイミングがずれたりすることはない。
【００１７】
【発明の効果】
以上に説明したように、本発明のパチンコ機の球送り装置は、球導入路が突き当たるベース板の球衝突部に球抜き口を設け、この玉抜き口を開閉するレバー式閉止部材をベース板に枢着したうえに、揺動部材には閉止部材との係止部を設けたので、揺動部材を閉止部材と一体に回動させて球抜き口を解放することができて、球導入路及び上皿に残留する球を完全に抜き去ることができる。また、揺動部材の先端に弾球槌の一部により間歇的に押圧される摺接部を設けて、揺動部材が弾球槌の球発射に連動して球の供給を行うようにしたので、ソレノイドなどの駆動源を必要とせず装置を簡素化することができる。
したがって、本発明のパチンコ機の球送り装置は、簡素にして且つ球を完全に抜き取ることのできるという大きな利点を有するものである。
【図面の簡単な説明】
【図１】本発明の球送り装置を備えた弾球発射装置の正面図である。
【図２】図１のＡ−Ａ線断面図である。
【図３】図１の弾球発射装置の平面図である。
【図４】揺動部材の正面図である。
【図５】閉止部材と球抜き操作レバーの正面図である。
【図６】一方の分岐枝が球導入路上にある球送り装置の正面図である。
【図７】閉止部材が回動途中である球送り装置の正面図である。
【図８】凹部が球導入路上にあって球抜き口が解放された状態の球送り装置の正面図である。
【図９】球が球抜き通路を通過中である球送り装置の正面図である。
【図１０】弾球槌が前球を発射した後の球送り装置の正面図である。
【図１１】弾球槌が後退途中である球送り装置の正面図である。
【図１２】弾球槌が後退完了した状態における球送り装置の正面図である。
【図１３】弾球槌が発射回動途中である球送り装置の正面図である。
【図１４】弾球槌が球発射直前である球送り装置の正面図である。
【図１５】弾球槌が球発射直後である球送り装置の正面図である。
【符号の説明】
１  ベース板
２  発射レール
４  弾球槌
６  球導入路
７  揺動部材
１３  球抜き口
１４  閉止部材
７６  突起
【図１】
2005006947.tif 000003
【図２】
2005006947.tif 000004
【図３】
2005006947.tif 000005
【図４】
2005006947.tif 000006
【図５】
2005006947.tif 000007
【図６】
2005006947.tif 000008
【図７】
2005006947.tif 000009
【図８】
2005006947.tif 000010
【図９】
2005006947.tif 000011
【図１０】
2005006947.tif 000012
【図１１】
2005006947.tif 000013
【図１２】
2005006947.tif 000014
【図１３】
2005006947.tif 000015
【図１４】
2005006947.tif 000016
【図１５】
2005006947.tif 000017